(57)【要約】【課題】ターンテーブルの回転板の剛性を小さくでき、製作を簡単にし製作費を減少させ、回転板の洗浄を容易にする。【構成】回転板１の中央に回転軸２を設け、上面の外周縁に沿って複数の容器保持部５をそなえる。容器保持部材５を設けた位置の回転板１下面にそれぞれ車輪１０を設け、この車輪１０が容器１３の重量を受けて基台４上の回転軌道に沿って走行し、回転板１は回転トルクに対応する剛性を持たせる。回転板１の外周に排水溝７をそなえ、排水溝７の１カ所に排水口８を設けて排水させる。【選択図】        図１
2004277048.tif 000002
【特許請求の範囲】
【請求項１】
中央に回転軸を設け、上面の外周縁に沿って複数個の容器保持部材をそなえた回転板と、基台に取り付けて前記回転軸を回転させる駆動装置をそなえたターンテーブルにおいて、前記回転板の容器保持部材をそなえた位置の下面に、それぞれ車輪を設け、この車輪が容器の重量を受けて基台上の回転軌道に沿って走行することを特徴とするターンテーブル。
【請求項２】
前記回転板が、回転トルクに対応する薄い鋼板で形成されている請求項１のターンテーブル。
【請求項３】
前記回転板の外周に、排水溝をそなえ、排水溝の１カ所に排水口を設けている請求項１または２のターンテーブル。
【発明の詳細な説明】
【０００１】
【発明の属する技術分野】
本発明は、シュートから排出される廃棄物などを収納する複数個の容器を回転板の外周に沿って載置し、回転板の回転により順次に容器を排出位置に移送するターンテーブルに関する。
【０００２】
【従来の技術】
大規模の厨房から出される生ゴミを処理するため、生ゴミをスクリュー脱水機などに送って脱水し、圧縮した状態で搬出処理するようにしているが、このスクリュー脱水機から排出される廃棄物は、排出口の下やシュートの下に置いた搬送用の容器に投入して搬出される。この容器の取り替えを効率よく行わせるため、ターンテーブルを用いてシュートの下に順次に容器を送り込み、別の位置で取り出して搬出するようにしている。
このようなターンテーブルは、回転板の中央に回転軸を設け、回転板の外周縁部に車輪を設けて基台に接触保持させ、あるいは
【特許文献１】実開平６−８８１４号に開示されているように、回転板と基台との間に多数のボールを配置して回転させるようにしている。
【０００３】
【発明が解決しようとする課題】
しかるに、回転板の外周縁に沿って複数の容器を等間隔に配置し、この容器に廃棄物を収納させる場合、たとえば、容量４５リットルのポリエチレン容器を８カ所に載せるようにしたターンテーブルでは、回転板の径が１．５メートル程度の大きさになり、廃棄物を収納した容器の重量も大きくなる。このため、中央の回転軸と外周縁の車輪あるいはボールによって支持されている回転板の剛性を保持するために、板厚を大きくしたり、裏面にリブを設けるなどの必要があり、ターンテーブルの材料費が高くなり、リブなどを設けることにより構造が複雑化して製作費が増大するなどの問題があった。
本発明は、厚さが小さい回転板を用いて、容器の重量が大きくなっても、回転板の変形などを生じないターンテーブルを提供する。
【０００４】
【課題を解決するための手段】
このため本発明は、中央に回転軸を設け、上面の外周縁に沿って複数個の容器保持部をそなえた回転板の、容器保持部をそなえた位置の下面に、それぞれ車輪を設けて、この車輪が基台上の回転軌道に沿って走行するようにし、容器の重量を車輪で保持させることにより、回転板の強度を増大させなくても大きな荷重を保持できるようにしている。このため、回転板は回転トルクを保持する程度の薄い鋼板で形成することができる。
また、廃棄物などを収納する容器を載置するターンテーブルでは、回転板上が汚れ易く、しばしば水洗をする必要があるが、回転板の外周に排水溝を設け、排水溝の１カ所に排水口をそなえておくことにより、洗浄水の処理が容易になり、決まった位置で排水させることができ、作業を簡単に行うことができる。
【０００５】
【発明の実施の形態】
これを図に示す実施例について説明する。
１は回転板、２は回転板１の中央に設けた回転軸、３は基台４に取り付けられて前記回転軸２を回転させる減速機モータ、５は回転板１上の外周に沿って等間隔に配置した容器保持部材で、容器の側面を挟持するようにしている。６は容器の脱落を防ぐためのストッパー、７は回転板１の外周に設けた排水溝で、１カ所に排水口８をそなえている。９は排水口の濾網、１０は回転板１の容器保持部材５をそなえた位置の下面に設けた車輪で、基台４の上面に接触して回転軌道に沿って走行する。
なお、図の実施例では、容器保持部材の下面に径方向に２個づつの車輪を設けているが、１個でもよく、廃棄物を収納した容器の重量や、容器保持部材５のスペースに応じて複数個設けることができる。
１１は回転軸２に取り付けた位置決め用の突起を持ったドグ板、１２は前記突起を検出して減速機モータ３を操作するリミットスイッチ、１３は廃棄物１４を収納する容器、１５はシュート、１６はシュート１５の先端部に設けたセンサーで、容器１３内の廃棄物１４の高さを検出する。
【０００６】
図の実施例では、回転板１上に８個の容器保持部材５をそなえており、容器供給位置Ａで、空の容器１３を載せ、容器保持部材５に挟持させる。容器１３を供給すると減速機モータ３により回転板１を回転させ、ドグ板１１とリミットスイッチ１２で４５度回動して停止させる。容器供給位置Ａで順次に容器１３を供給し、容器１３が投入位置Ｂで停止している間に、シュート１５から廃棄物１４が投入され、センサー１６で投入量を検出し、所定の高さまで投入されると投入を停止して、回転板１を回動させる。廃棄物１４を収納した容器１３は、取出位置Ｃで取り出して搬出される。
【０００７】
このように回転板１上の容器１３には、回転板のほぼ片側は容器１３が空で荷重が小さく、反対側は廃棄物１４により容器１３の重量が増大して、回転板１の負荷が不平衡になるが、各容器保持部材５を設けた位置の下面に、それぞれ少なくとも１個（図では２個）の車輪１０を取り付けているため、容器１３の重量を車輪１０で受けることができ、回転板１には、重量の増大や不平衡による応力が加わらず、回転トルクに対応する剛性があればよい。
【０００８】
なお、回転板１の上面は、とくに生ゴミなどの廃棄物を処理する場合、定期的あるいは不定期に洗浄する必要があるが、回転板１の外周に排水溝７と排水口８を設けているので、水を流して洗浄する場合に、回転板１上の洗浄水が周囲に流れ出ることがなく、あらかじめ排水口８を下水溝１７などの位置に合わせておくことにより、洗浄水を直接下水溝に流し、あるいはホースなどで処理することができる。
【０００９】
【発明の効果】
このように本発明は、回転板の下面に、容器保持部材のそれぞれの位置に合わせて車輪を設け、この車輪により容器の重量を受けて基台上の回転軌道に沿って走行するようにしているので、回転板に容器の重量による撓みなどの応力を生じることがなく、回転トルクに対応した剛性のみを保持すれば良いため、板厚を薄くでき、補強リブなども必要がなく、比較的薄いステンレス鋼板などで製作が可能になり、製作が容易で、製作費を減少させ得る効果がある。
また、回転板の外周に排水溝をそなえ、排水溝の１カ所に排水溝を口を設けているので、回転板の洗浄をするときに、周囲に水が流れ落ちることがなく、排水処理を簡単にし、洗浄作業の時間を短縮できる効果がある。
【図面の簡単な説明】
【図１】本発明を実施例を示す側断面図である。
【図２】回転板の上面図である。
【符号の説明】
１  回転板
２  回転軸
３  減速機モータ
４  基台
５  容器保持部材
６  ストッパー
７  排水溝
８  排水口
９  濾網
１０  車輪
１１  ドグ板
１２  リミットスイッチ
１３  容器
１４  廃棄物
１５  排出シュート
１６  センサー
１７  下水溝
【図１】
2004277048.tif 000003
【図２】
2004277048.tif 000004